(57)【要約】      （修正有）【課題】肩掛け式及び手持ち式草刈り払い機での作業中、草が草刈り払い機に絡み付く現象の解消、及び刈り払いナイロンコードの取り付けを簡単化、及び刈り払いナイロンコードのダメージの軽減化、及び草刈り払い機エンジンへの負担の軽減化を課題とする。【解決手段】絡み付き防止具２を設けて、草の絡み付きを防止する。ナイロンコードをローター（回転板）部正面から巻き溜め出来るようにし、疲労吸収具１１をローター内側９に設置し、ナイロンコード１）へのダメージを軽減する。ローター（回転板）４の直径を１０ｃｍにし、エンジンへの負担を軽減する。【選択図】図１
2006254909.tif 000002
【特許請求の範囲】
【請求項１】
絡み付き防止具により草刈り払い機への草の絡み付きを防止する装置。
【請求項２】
草刈り払いを行うナイロンコードを草刈り払い機支持ロッド先端部取り付けホルダーから取り外さなくてもローター（回転板）部、正面から巻き溜めができる装置。
【請求項３】
ローター（回転板）内部に疲労吸収具を設けたことによってナイロンコードへのダメージを軽減する装置。
【請求項４】
ローター（回転板）の直径を小さくしたことによってエンジンへの負担を軽減し、人が肩掛け式及び手持ち式草刈り払い機で草刈り払いを行うのに必要をされる力を軽減する装置。
【発明の詳細な説明】
【技術分野】
【０００１】  本発明は肩掛け式及び手持ち式草刈り払い機に使用する刈り払い体に関する特徴である。
【背景技術】
【０００２】  従来の肩掛け式及び手持ち式草刈り払い機は刃体の回転で草刈りを行うものであり刃体は円盤の外周刃を形成したディスクタイプと回転部分よりナイロンコードを繰り出して刈り払いを行うものが多用されている。
作業中、草刈り払い機に草が絡み付き作業を一時中断せざるをえないことがある。
草刈り払い機にナイロンコードを装着する際、取り付けホルダーから外して装着する技術が知られている。
ナイロンコードとローター（回転板）の接触部分はダメージが大きくナイロンコードが切れることがある。
草刈り払い機ローター（回転板）の直径は１２ｃｍ〜１３ｃｍ、エンジンの排気量は２５ｃｃ〜２６ｃｃで使用可能だった。
【発明が解決しようとする課題】
【０００３】  前期のディスクタイプ及びナイロンコードタイプは、いずれも作業中、草刈り払い機に草の絡み付きが見られた。
【０００４】  従来機種のナイロンコードタイプの草刈り払い機はナイロンコード交換時、草刈り払い作業を中断し作業効率が低下するが取り付けホルダーから外してナイロンコードを装着しなければいけないので時間がかかる。
【０００５】  従来機種はローター（回転板）を高速で回転させると石及び堅い草を叩いた場合ナイロンコードがローター接触部分（ナイロンコード取り出し口）から切れることがあった。また、ナイロンコードとローター接触部分（ナイロンコード取り出し口）は摩擦があるためダメージが大きく切れることがあった。
【０００６】  従来の草刈り払い機ローター（回転板）の直径は１２ｃｍ〜１３ｃｍ、エンジンの排気量は２５ｃｃ〜２６ｃｃで使用可能だった。ローター（回転板）の直径が大きいほど遠心力の為、ハンドルを持つ手に力が必要になる。女性や年配の方はエンジンの排気量は２５ｃｃ〜２６ｃｃだと使用するのにかなりの力が必要とするのでこれを解決しようと言うものである。
【課題を解決するための手段】
【０００７】  草刈り払い機に草の絡み付きを防止するため絡み付き防止具を草刈り払い機に取り付けることにした。
【０００８】  ナイロンコードがダメージを受け交換する時などは取り付けホルダーから外し、巻き溜めをしなければいけなかった。本考案は取り付けホルダーから外すことなく、ナイロンコードをローター（回転板）正面から巻き溜め出来る構造に設計した。
【０００９】  ナイロンコードとローター接触部分（ナイロンコード取り出し口）は摩擦があるためダメージが大きく切れることがあった。そのためローター（回転板）内部に疲労吸収具を設置し、ナイロンコードの疲労をやわらげることにした。
【００１０】  ローター（回転板）の直径を１０ｃｍにしたことによって、エンジンの排気量２３ｃｃでも２６ｃｃ並の作業能率が出るようになった。
【発明の効果】
【００１１】  絡み付き防止具を取り付けたことによって草刈り払い機への草の絡み付きを防止することに成功した。
【００１２】  ナイロンコードをローター（回転板）正面から巻き溜め出来る構造に設計したため、ナイロンコードを交換する際、取り付けホルダーから外してセットしなくてもそのまま正面からセットできるようになり、作業効率が上がった。
【００１３】  ローター（回転板）内部に疲労吸収具を設置したため、ナイロンコードの疲労をやわらげることになり耐久性が上がった。
【００１４】  ローター（回転板）の直径を１０ｃｍにしたことによって、エンジンの排気量２３ｃｃでも２６ｃｃ並の作業能率が出るようになった。このことによって女性や年配の方でも力を、さほど使うことなく作業を行うことが出来るようになる。
【発明を実施するための最良の形態】
【００１５】  お椀形絡み付き防止具（符号▲２▼）の特徴については外側の部分（符号▲１８▼）は滑り台の原理と遠心力である。内側（符号▲１７▼）は田を耕すカラスキの原理である。内側へ入り込んだものを外側へ放り出す作用で絡み付かないのである。
絡み付き防止具（符号▲２▼）はお椀形で直径１２ｃｍとし、ステンレスで厚さ０．５ｍｍである。絡み付き防止具はローター（回転板）と合体している物であるか、防止具だけの物もあるのでディスクタイプの草刈り払い機及び従来のナイロンコードタイプの草刈り払い機にも装備可能である。空気抵抗が少ないためエンジンへの負担がかからないのである。【００１６】  ナイロンコード（符号▲１▼）の巻き溜め方法はナイロンコード挿し入れ穴（符号▲１５▼）の２ヶ所から１本３ｍ、２本通してローター（回転部）と絡み付き防止具壁部へ巻き溜める。ナイロンコードを固定するのには、ナイロンコードの端を結ぶかライターなどで熱を保たせ柔らかくしたナイロンコードを堅いものに押し付けナイロンコードの先を膨らます。【００１７】  疲労吸収具（符号▲１１▼）の直径は１７ｍｍである。疲労吸収具（符号▲１１▼）の円内でナイロンコードの疲労を緩め、ローター内側ナイロンコード止め切り込み口（符号▲１２▼）の疲労をやわらげるのである。【００１８】  ローター（回転板）（符号▲４▼）の直径を１０ｃｍにしたためナイロンコード（符号▲１▼）の切り幅が従来品と同じでもナイロンコードの回転円形が２ｃｍ〜３ｃｍ小さくなるのである。従ってエンジンへの負荷が軽減するのである。ローター（回転板）の直径を１０ｃｍ以下にできない理由は疲労吸収具（符号▲１１▼）の直径を１７ｍｍ以下にするとナイロンコードにＵ型癖が強く付き、またローター押さえ金具（符号▲６▼）の直径が５ｃｍ以下ではローター押さえ金具（符号▲６▼）が支持ロット先端取り付けホルダー（符号▲１６▼）に設置することが困難になるためである。
【図面の簡単な説明】
【００１９】
【図１】  本発明品の主に絡み付き防止具（符号▲２▼）とナイロンコード巻き溜め部（符号▲１９▼）とローター（回転板）（符号▲４▼）を現わした斜視図である。
【図２】  本発明品と草刈り払い機ロッド先端（符号▲１４▼）とを結合させ水平に見た図である。ナイロンコード巻き溜め部（符号▲１９▼）は正面から簡単に巻き溜め出来るのが特徴である。
【図３】  本発明品と草刈り払い機ロッド先端（符号▲１４▼）とを結合させ斜め後方から見た図である。ナイロンコード巻き溜め方法は２本のナイロンコードの先端を結ぶか、平たくし、ナイロンコード挿し入れ穴（符号▲１５▼）２ヶ所の穴へ反対側のナイロンコードの先端を挿し込み、結び目がナイロンコード挿しいれ穴（符号▲１５▼）へ到達するまで引き出し、ナイロンコードをローター（回転板）（符号▲４▼）と絡み付き防止具（符号▲２▼）の間へ巻き溜めするのである。
【図４】  絡み付き防止具（符号▲２▼）の断面図である。
【図５】  ローター（回転板）（符号▲４▼）を正面から見た図である。
【図６】  絡み付き防止具（符号▲２▼）にディスク式ローター刃体（ノコギリ刃）（符号▲２０▼）を取り付けた図である。絡み付き防止具（符号▲２▼）はナイロンコード式ローターと合体であるが、１体形は製品としても生産されているので従来品にも取り付けても防止具は草が絡み付かない効果はナイロンコード式ローターと同等である。
【図７】  本体胴とナイロンコード巻溜部を現はした図面である。
【符号の説明】
【００２０】▲１▼  ナイロンコード
▲２▼  絡み付き防止具
▲３▼  ローター胴
▲４▼  ローター外側
▲５▼  ナイロンコード挿し込み口
▲６▼  ローター押さえ金具
▲７▼  ローター締め付けボルト
▲８▼  草刈り払い機ローターネジ
▲９▼  ローター内側
▲１０▼  草刈り払い機ロッド先端
▲１１▼  疲労吸収具
▲１２▼  ローター内側ナイロンコード止め切り込み口
▲１３▼  ナイロンコード取り出し口
▲１４▼  草刈り払い機ロッド先端ホルダー部
▲１５▼  ナイロンコード挿し入れ穴
▲１６▼  取り付けホルダー
▲１７▼  絡み付き防止具の内側（カラスキの原理部分）
▲１８▼  絡み付き防止具の外側（（滑り台の原理部分）
▲１９▼  ナイロンコード巻き溜め部本体胴
▲２０▼  ディスク式ローター（ノコギリ刃）
▲２１▼  ホルダーセツ穴
▲２２▼
【図１】
2006254909.tif 000003
【図２】
2006254909.tif 000004
【図３】
2006254909.tif 000005
【図４】
2006254909.tif 000006
【図５】
2006254909.tif 000007
【図６】
2006254909.tif 000008
【図７】
2006254909.tif 000009